Podtech/llm-jp-corpus-v4-ja_patent huggingface dataset:
【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】
外周面に種々の識別情報が描かれた複数のドラムを予め定めた始動条件の成立に基づいて回転させた後、各ドラムに対応付けて設けられたストップスイッチの操作に従って前記ドラムを停止させるゲームを実行し、すべてのドラムが停止した際の停止態様が有効なライン上に特定の識別情報が揃う当選パターンのとき、遊技者に有利な条件で前記ゲームを行うことができる特別遊技状態に移行するスロットマシンにおいて、
少なくとも前記当選パターンが出現し得るように設定された当選可能状態と前記当選パターンが出現しないように設定された当選不可状態とに遊技状態を切り替える遊技状態設定手段と、前記遊技状態設定手段が設定した遊技状態に従って前記ゲームを実行する遊技実行手段とを備え、
前記遊技実行手段は、前記遊技状態が前記当選可能状態に設定された状態で実行する前記ゲームにおいて、前記複数のドラムの相対位置を前記当選パターンが出現し得るように設定しかつその相対位置を保持したまま前記複数のドラムを回転させるとともに、いずれかの前記ストップスイッチが操作されたときすべてのドラムの回転を前記相対位置を保持したまま一斉に停止させることを特徴とするスロットマシン。
【請求項２】
前記当選可能状態に設定されたことを遊技者に通知することを特徴とする請求項１に記載のスロットマシン。
【請求項３】
前記特別遊技状態には、遊技者の受け得る利益の大きさが異なる複数種類のものが設定してあり、
前記当選可能状態は、前記特別遊技状態の種類ごとに対応付けて複数種類設けてあり、
前記当選パターンは、前記当選可能状態の種類ごとに対応付けて複数種類設けてあることを特徴とする請求項１または２に記載のスロットマシン。
【手続補正２】
【補正対象書類名】明細書
【補正対象項目名】０００４
【補正方法】変更
【補正の内容】
【０００４】
通常、スロットマシンは、当選パターンが有効ライン上に出現し得る当選可能状態と、有効ライン上に当選パターンが出現しない各遊技状態を有しており、予め定めた確率に従って、当選可能状態が現れるように設定されている。
【手続補正３】
【補正対象書類名】明細書
【補正対象項目名】０００８
【補正方法】変更
【補正の内容】
【０００８】
【課題を解決するための手段】
かかる目的を達成するための本発明の要旨とするところは、次の各項の発明に存する。
［１］外周面に種々の識別情報が描かれた複数のドラム（１３１〜１３３）を予め定めた始動条件の成立に基づいて回転させた後、各ドラム（１３１〜１３３）に対応付けて設けられたストップスイッチ（１１１〜１１３）の操作に従って前記ドラム（１３１〜１３３）を停止させるゲームを実行し、すべてのドラム（１３１〜１３３）が停止した際の停止態様が有効なライン上に特定の識別情報が揃う当選パターンのとき、遊技者に有利な条件で前記ゲームを行うことができる特別遊技状態に移行するスロットマシンにおいて、
少なくとも前記当選パターンが出現し得るように設定された当選可能状態と前記当選パターンが出現しないように設定された当選不可状態とに遊技状態を切り替える遊技状態設定手段（２２０）と、前記遊技状態設定手段（２２０）が設定した遊技状態に従って前記ゲームを実行する遊技実行手段（２３０）とを備え、
前記遊技実行手段（２３０）は、前記遊技状態が前記当選可能状態に設定された状態で実行する前記ゲームにおいて、前記複数のドラム（１３１〜１３３）の相対位置を前記当選パターンが出現し得るように設定しかつその相対位置を保持したまま前記複数のドラム（１３１〜１３３）を回転させるとともに、いずれかの前記ストップスイッチ（１１１〜１１３）が操作されたときすべてのドラム（１３１〜１３３）の回転を前記相対位置を保持したまま一斉に停止させることを特徴とするスロットマシン。
【手続補正４】
【補正対象書類名】明細書
【補正対象項目名】０００９
【補正方法】変更
【補正の内容】
【０００９】
［２］前記当選可能状態に設定されたことを遊技者に通知することを特徴とする［１］に記載のスロットマシン。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１５
【補正方法】変更
【補正の内容】
【００１５】
また当選可能状態に設定されたことを遊技者に通知するものでは、当選可能状態が設定されるとフラグ成立ランプが点灯していつ目押しすれば良いかを知ることができるので、初心者でも十分に目押しのチャンスを生かすことができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００６１
【補正方法】変更
【補正の内容】
【００６１】
図６は、大ボーナス図柄処理の流れを示している。まず、フラグ成立ランプ１４６を点灯して遊技者に大ボーナスが出現し得る状態に設定されたことを通知する（ステップＳ６０１）。そしてボーナスゲームドラム回転処理を実行し（ステップＳ６０２）、全てのドラムが停止し終えた際に「７７７」等の大ボーナス図柄が有効ライン上に停止したか否かを判別する（ステップＳ６０３）。
【手続補正１１】
【補正対象書類名】明細書
【補正対象項目名】００６４
【補正方法】変更
【補正の内容】
【００６４】
図７は、小ボーナス図柄処理の流れを示している。まず、フラグ成立ランプ１４６を点灯して遊技者に小ボーナスが出現し得る状態に設定されたことを通知する（ステップＳ７０１）。そしてボーナスドラム回転処理を実行し（ステップＳ７０２）、全てのドラムが停止し終えた際に小ボーナス図柄が有効化されたライン上に停止したか否かを判別する（ステップＳ７０３）。
【手続補正１２】
【補正対象書類名】明細書
【補正対象項目名】００８５
【補正方法】変更
【補正の内容】
【００８５】
また当選可能状態に設定されたことを遊技者に通知するので、当選可能状態が設定されるとフラグ成立ランプが点灯していつ目押しすれば良いかを知ることができるので、初心者でも十分に目押しのチャンスを生かすことができる。
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
水性エピガロカテキンガラート（ＥＧＣＧ）溶液を濃縮する方法であって、
ａ）約０．０３重量％〜約１０重量％の溶解固形分を有する水性ＥＧＣＧ溶液を約５bar〜約１００barの圧力下で、少なくとも一つの膜モジュールに供給して、透過パージ物及びリテンテートリターンを準備する工程（ここでＥＧＣＧの濃度は、供給溶液の濃度に比べて、リテンテートリターンで増大し、そしてそれにより膜は９０％を超えるＥＧＣＧのリテンション定数により特徴づけられる）；
ｂ）該透過パージ物を集める工程；
ｃ）該リテンテートリターンを集める工程；
ｄ）場合によりリテンテートリターンを膜へリサイクルする工程；
ｅ）場合により工程ｃ）及び／又はｄ）のリテンテートリターンを濃縮する工程；及び
ｆ）場合により工程ｂ）の透過パージ物を濃縮する工程；を含むをことを特徴とする方法。
【請求項２】
膜モジュールが、９０％を超えるＥＧＣＧのリテンション定数及び５ｌ／m2hの透過流量を有する膜を含み、場合により加えられる有機溶媒及びあらゆる不純物のためのリテンション定数が５０％未満で存在する、スパイラルタイプの膜エレメントである、請求項１記載の方法。
【請求項３】
膜の圧力範囲が、約１０bar〜１００barである、請求項１又は２記載の方法。
【請求項４】
膜の圧力範囲が、約２０bar〜３５barである、請求項１又は２記載の方法。
【請求項５】
方法が、約１０℃〜６０℃の温度で操作される、請求項１〜４のいずれか１項記載の方法。
【請求項６】
水性ＥＧＣＧ溶液が、水及び場合により有機溶媒の混合物中のＥＧＣＧの溶液である、請求項１〜５のいずれか１項記載の方法。
【請求項７】
混合物が、水約７０容量％〜約１００容量％、好適には約９０容量％及び有機溶媒約０容量％〜約３５容量％、好適には約１０容量％を含む、請求項６記載の方法。
【請求項８】
有機溶媒が、メタノール、エタノール、イソプロパノール又はアセトンである、請求項６又は７記載の方法。
【手続補正２】
【補正対象書類名】明細書
【補正対象項目名】０００５
【補正方法】変更
【補正の内容】
【０００５】
本発明は、水性エピガロカテキンガラート（ＥＧＣＧ）溶液を濃縮するための多工程方法であって、少なくとも部分的に回分様式又は連続的に実施することができ、
ａ）約０．０３重量％〜約１０重量％の溶解固形分を有する水性ＥＧＣＧ溶液を約５bar〜約１００barの圧力下で、少なくとも一つの膜モジュールに供給して、透過パージ物（permeate purge）及びリテンテートリターン（retentate return）を準備する工程（ここでＥＧＣＧの濃度は、供給溶液の濃度に比べて、リテンテートリターンで増大し、そしてそれにより膜は９０％を超えるＥＧＣＧのリテンション定数により特徴づけられている）；
ｂ）該透過パージ物を集める工程；
ｃ）該リテンテートリターンを集める工程；
ｄ）場合によりリテンテートリターンを膜へリサイクルする工程；
ｅ）場合により工程ｃ）及び／又はｄ）のリテンテートリターンを濃縮する工程；及び
ｆ）場合により工程ｂ）の透過パージ物を濃縮する工程；を含む方法に関する。


【手続補正３】
【補正対象書類名】明細書
【補正対象項目名】０００７
【補正方法】変更
【補正の内容】
【０００７】
膜は、リテンション定数Ｒ及び透過流量Ｊｖにより定義された溶媒−膜−システムで特徴付けられる。
【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
従来型小説に登場する人物の体内の、臓器や組織の各部分を、擬人化し映像化し、彼等の演じる生理や病理の現象を、ドラマ化して深層小説となし、表層の従来型小説と同時あるいは交互に、図２・図３・図４に示された如く電子画面に提示し、画面とその一部の小窓を活用して、人間理解を深化拡大した新文学において、その擬人化され映像化された体内部分を表す文学的演算子。
【請求項２】
発明の詳細な説明の【０００５】において述べた如く、文学演算子は体内の各部分を擬人化し映像化したものだが、その本来の姿を原姿となし、その上位に３段階、即ち漫画次元、人類次元、更に超人次元を設けて、これ等への変身を可能ならしめ、随時に画面上に出現させ、その像をクリックすることにより、夫々の活動や展開を行わせて、文学の領域を拡大し人間理解を容易ならしめる文学的演算子。
【請求項３】
【０００５】に述べられている如く、電子画面はゲームフィールドにもなり、演算子の一種である免疫細胞のように、図１に示されたフィールドの防衛側として、細菌などのインベーダーを迎え撃つゲームに参加し、その主役を演じることの出来る文学的演算子。
【請求項４】
深層小説中の文学演算子に対して、種々の条件をプレイヤーが指示する為に、図６Ａに例示されるような直接指令票を使い、また、表在小説の環境などを変化させてゲームに影響を与える為に、図７に例示される間接指令票を使い、この２種の指令票を活用して、プレイヤーの意志を文学の内容変更に及ぼすようにした文学的演算子。
【手続補正書】
【提出日】平成16年3月29日(2004.3.29)
【手続補正１】
【補正対象書類名】明細書
【補正対象項目名】請求項１
【補正方法】変更
【補正の内容】
【請求項１】
磁性体からなり周面にセグメント型永久磁石が固着されたロータと、上記ロータを浮上制御するための２極の浮上制御磁束を発生する第１のステータ巻線と、上記ロータに対して回転磁界を発生させる第２のステータ巻線とを備えた磁気浮上型モータ部が二つ軸方向に配置され、上記セグメント型永久磁石が上記二つの磁気浮上型モータ部において互いに逆極性の関係で固着され、上記セグメント型永久磁石が、上記ロータの内部から放射状に広がる直流磁場を発生するバイアス磁石として用いられていることを特徴とする磁気浮上モータ。
【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
筐体に形成された、第１の通電用電極と、第１の計測用電極と、前記第１の通電用電極との間で生体に電流路を形成する第２の通電用電極と、前記第１の計測用電極との間で生体に生じる電位差を検出するための第２の計測用電極と、前記第１の計測用電極と前記第２の計測用電極との間の生体に生じた電位差によりインピーダンスを計測する計測手段と、計測条件を入力する入力手段と、計測手段で得られたデータと入力手段に設定されたデータを基に演算する演算手段と、入力の状態や演算の結果を表示する表示手段とを備えた生体インピーダンス計測装置において、筐体は結合または分離可能な、前記第１の通電用電極と前記第１の計測用電極を有する第１の筐体部と、前記第２の通電用電極と前記第２の計測用電極を有する第２の筐体部とからなり、前記第１の筐体部と前記第２の筐体部との間を接続する電線を有することを特徴とする分離可能型生体インピーダンス計測装置。
【請求項２】
前記第１の筐体部は、一方の手に保持して測定可能なサイズであり、前記第２の筐体部は、他方の手に保持して測定可能なサイズであることを特徴とする請求項１記載の分離可能型生体インピーダンス計測装置。
【請求項３】
前記第１の筐体部と前記第２の筐体部とが結合している場合は、結合の状態にある前記第１の筐体部と前記第２の筐体部とを手に保持し前記各電極を生体に接触させたときにおける前記第１の筐体部と前記第２の筐体部との間の生体を測定し、前記第１の筐体部と前記第２の筐体部とが分離している場合は、分離の状態にある前記第１の筐体部と前記第２の筐体部とをそれぞれの手に保持し前記各電極を生体に接触させたときにおける前記第１の筐体部と前記第２の筐体部との間の生体を測定することを特徴とする請求項１記載の分離可能型生体インピーダンス計測装置。
【請求項４】
前記第２の筐体部の同面に前記第２の通電用電極と前記第２の計測用電極を有することを特徴とする請求項１乃至３のうちいずれか１項に記載の分離可能型生体インピーダンス計測装置。
【請求項５】
前記第１の筐体部の同面に前記第１の通電用電極と前記第１の計測用電極を有することを特徴とする請求項４記載の分離可能型生体インピーダンス計測装置。
【請求項６】
前記第１の筐体部の複数の同面に前記第１の通電用電極と前記第１の計測用電極を有することを特徴とする請求項５記載の分離可能型生体インピーダンス計測装置。
【請求項７】
前記第２の筐体部の複数の同面に前記第２の通電用電極と前記第２の計測用電極を有することを特徴とする請求項４乃至６のうちいずれか１項に記載の分離可能型生体インピーダンス計測装置。
【請求項８】
前記表示手段は、生体の計測個所を表示をすることができる表示手段であることを特徴とする請求項１乃至請求項７記載の分離可能型生体インピーダンス計測装置。
【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
生体の特性値を測定する測定手段と、測定された特性値を記憶する記憶手段と、記憶された特性値を時間的な第一の単位とし、その第一の単位を複数個集めた特性値の平均を時間的な第二の単位とし、少なくとも前記第一の単位と第二の単位とにおける特性値の変化を同時にグラフ表示する表示手段を備えるグラフ表示式生体測定装置。
【請求項２】
生体の特性値を測定する測定手段と、被験者の個人身体情報を入力するための入力手段と、該測定された生体の特性値と入力された個人身体情報から被験者の生体に関する指標を推定する演算手段と、該推定された生体に関する指標と入力された個人身体情報を記憶するための記憶手段と、記憶された過去の生体に関する指標を時間的な第一の単位とし、その第一の単位を複数個集めた特性値の平均を時間的な第二の単位とし、少なくとも前記第一の単位と第二の単位とにおける特性値の変化を同時にグラフ表示する表示手段を備えるグラフ表示式生体測定装置。
【請求項３】
体重を測定するための体重測定手段と、測定された体重を記憶する記憶手段と、記憶された過去の体重値の日毎の変化、週毎の変化、月毎の変化から複数を同時にグラフ表示する表示手段とを備えたことを特徴とする体重計。
【請求項４】
生体電気インピーダンス値を測定するためのインピーダンス測定手段と、被験者の個人身体情報を入力するための入力手段と、該測定された生体電気インピーダンス値と入力された個人身体情報から被験者の体脂肪を推定する演算手段と、該推定された体脂肪と入力された個人身体情報を記憶するための記憶手段と、記憶された過去の体脂肪の日毎の変化、週毎の変化、月毎の変化から複数を同時にグラフ表示する表示手段とを備えたことを特徴とする体脂肪計。
【請求項５】
生体電気インピーダンス値を測定するためのインピーダンス測定手段と、被験者の個人身体情報を入力するための入力手段と、該測定された生体電気インピーダンス値と入力された個人身体情報から被験者の体脂肪を推定する演算手段と、該推定された体脂肪と測定された体重値と入力された個人身体情報を記憶するための記憶手段と、記憶された過去の体脂肪と体重値の日毎の変化、週毎の変化、月毎の変化から複数を同時にグラフ表示する表示手段とを備えたことを特徴とする体脂肪計。
【請求項６】
前記表示手段は、日毎の変化、週毎の変化、月毎の変化の３種類全てを同時にグラフ表示することを特徴とする請求項４及び請求項５に記載の体脂肪計。
【請求項７】
前記表示手段は、日毎の変化は７日間、週毎の変化は１２週間、月毎の変化は１２ヶ月間をグラフに表示することを特徴とする請求項６に記載の体脂肪計。
【請求項８】
前記表示手段はドットマトリクス式ＬＣＤであり、そのドットマトリクス式ＬＣＤに表示される前記グラフは棒グラフが用いられ、前記日毎の変化、週毎の変化、月毎の変化から複数を同時に表示する時、一方の期間における変化は、その値を示す棒グラフ内の全てのドットが表示され、隣接表示される他方の期間における変化は、その値を示すドットのみが表示されることを特徴とする請求項４から請求項７のいずれか１項に記載の体脂肪計。
【請求項９】
前記表示手段に表示される体脂肪は、その重量を意味する体脂肪量であることを特徴とする請求項４から請求項８のいずれか１項に記載の体脂肪計。
【手続補正２】
【補正対象書類名】明細書
【補正対象項目名】０００９
【補正方法】変更
【補正の内容】
【０００９】
【課題を解決するための手段】
本発明のグラフ表示式生体測定装置は、生体の特性値を測定する測定手段と、測定された特性値を記憶する記憶手段と、記憶された特性値を時間的な第一の単位とし、その第一の単位を複数個集めた特性値の平均を時間的な第二の単位とし、少なくとも前記第一の単位と第二の単位とにおける特性値の変化を同時にグラフ表示する表示手段を備える。
【手続補正３】
【補正対象書類名】明細書
【補正対象項目名】００１０
【補正方法】変更
【補正の内容】
【００１０】
また、本発明のグラフ表示式生体測定装置は、生体の特性値を測定する測定手段と、被験者の個人身体情報を入力するための入力手段と、該測定された生体の特性値と入力された個人身体情報から被験者の生体に関する指標を推定する演算手段と、該推定された生体に関する指標と入力された個人身体情報を記憶するための記憶手段と、記憶された過去の生体に関する指標を時間的な第一の単位とし、その第一の単位を複数個集めた特性値の平均を時間的な第二の単位とし、少なくとも前記第一の単位と第二の単位とにおける特性値の変化を同時にグラフ表示する表示手段を備える。
【手続補正４】
【補正対象書類名】明細書
【補正対象項目名】００１４
【補正方法】変更
【補正の内容】
【００１４】
また、本発明の体脂肪計は、前記表示手段は、日毎の変化、週毎の変化、月毎の変化の３種類全てを同時にグラフ表示する。
【手続補正５】
【補正対象書類名】明細書
【補正対象項目名】００１５
【補正方法】変更
【補正の内容】
【００１５】
また、本発明の体脂肪計は、前記表示手段は、日毎の変化は７日間、週毎の変化は１２週間、月毎の変化は１２ヶ月間をグラフに表示する。
【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  被験者に取り付けられ、当該被験者の生体に関する情報を検出する少なくとも１つの生体情報検出手段と、所定の測定制御を行う測定制御手段とを備えた生体情報測定装置において、
装置が所定の状態か否かを判定する状態判定手段を備え、
上記測定制御手段は、上記状態判定手段により上記所定の状態と判定されると上記所定の測定制御を行うものであることを特徴とする生体情報測定装置。
【請求項２】  請求項１記載の生体情報測定装置において、上記測定制御手段は、上記状態判定手段により上記所定の状態と判定されると上記所定の測定制御として上記生体情報検出手段による検出動作を開始させるものであることを特徴とする生体情報測定装置。
【請求項３】  請求項１記載の生体情報測定装置において、記憶手段を備え、上記測定制御手段は、上記状態判定手段により上記所定の状態と判定されると上記所定の測定制御として上記生体に関する情報に応じたデータを上記記憶手段に格納する動作を行うものであることを特徴とする生体情報測定装置。
【請求項４】  請求項１記載の生体情報測定装置において、上記生体情報検出手段として上記被験者の体位を検出する体位検出手段を備え、上記状態判定手段は、上記体位検出手段により上記被験者が横になっていることが検出されると上記所定の状態と判定するものであることを特徴とする生体情報測定装置。
【請求項５】  請求項１記載の生体情報測定装置において、上記状態判定手段として上記生体情報検出手段が上記被験者に取り付けられたか否かを判定する装着判定手段を備え、この装着判定手段は、上記生体情報検出手段が上記被験者に取り付けられたと判定されると上記所定の状態と判定するものであることを特徴とする生体情報測定装置。
【請求項６】  請求項１記載の生体情報測定装置において、上記測定制御手段は、上記状態判定手段により上記所定の状態と判定された時点から所定時間の経過後に上記所定の測定制御を行うものであることを特徴とする生体情報測定装置。
【請求項７】  請求項１記載の生体情報測定装置において、上記生体情報検出手段を上記測定制御手段に取り外し可能に電気的に接続する接続手段を備え、上記状態判定手段は、上記生体情報検出手段が上記測定制御手段に接続されたか否かを検出し、接続されたことを検出すると上記所定の状態と判定するものであることを特徴とする生体情報測定装置。
【請求項８】  請求項１記載の生体情報測定装置において、複数の上記生体情報検出手段をそれぞれ上記測定制御手段に取り外し可能に電気的に接続する複数の接続手段を備え、上記状態判定手段は、上記複数の生体情報検出手段がそれぞれ上記測定制御手段に接続されたか否かを検出し、上記複数の生体情報検出手段の全てが上記測定制御手段に接続されたことを検出すると上記所定の状態と判定するものであることを特徴とする生体情報測定装置。
【請求項９】  請求項１ないし３のいずれかに記載の生体情報測定装置において、上記所定の状態は上記被験者が睡眠に入る時点、またはそれに近い時点であることを示す状態であることを特徴とする生体情報測定装置。
【手続補正２】
【補正対象書類名】明細書
【補正対象項目名】００２２
【補正方法】変更
【補正の内容】
【００２２】
この構成によれば、複数の生体情報検出手段をそれぞれ測定制御手段に取り外し可能に電気的に接続する接続手段によって、複数の生体情報検出手段がそれぞれ測定制御手段に接続されたか否かが検出され、複数の生体情報検出手段の全てが測定制御手段に接続されたことが検出されると所定の状態と判定されることにより、測定制御手段に全ての生体情報検出手段が接続されていない状態では測定動作が行われず、必要な測定動作のみが行われることとなり、無駄な電力消費が抑制される。
また、請求項９の発明は、請求項１ないし３のいずれかに記載の生体情報測定装置において、上記所定の状態は上記被験者が睡眠に入る時点、またはそれに近い時点であることを示す状態であることを特徴としている。この構成によれば、必要な測定動作のみを行うことができる。
【手続補正３】
【補正対象書類名】明細書
【補正対象項目名】０１１９
【補正方法】変更
【補正の内容】
【０１１９】
また、請求項８の発明によれば、複数の生体情報検出手段がそれぞれ測定制御
手段に接続されたか否かを検出し、複数の生体情報検出手段の全てが測定制御手
段に接続されたことを検出すると所定の状態と判定するようにしたので、測定制
御手段に全ての生体情報検出手段が接続されていない状態では測定動作が行われ
ず、必要な測定動作のみが行われることとなり、無駄な電力消費を抑制すること
ができる
また、請求項９の発明によれば、被験者が睡眠に入る時点、またはそれに近い時点であることを示す状態であることを検出すると所定の状態と判定するようにしたので、必要な測定動作のみを行うことができる。
【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
外周に複数の球受部を設けたスプロケットと、
前記スプロケットを回動させるパルスモータと、
前記スプロケットの球受部が臨む流路と、
前記スプロケットから前記流路に排出された遊技球をカウントするための球検出センサと、
賞球要求あるいは貸球要求に基づいて排出する目標数を設定し、前記パルスモータを駆動して前記目標数分の遊技球を排出させる制御を行う排出制御手段と、
を備えた遊技機において、
前記排出制御手段は、
前記目標数分の遊技球を排出する場合に、前記目標数分の作動をするように前記パルスモータを駆動制御すると共に、排出用タイマを作動して、排出用タイマのタイムアップ時間が経過するまでに前記球検出センサにより検出される球検出数が前記目標数分とならなかったときには、前記目標数分と一致するように残数分の補正排出を行わせる補正排出制御手段を備え、
前記補正排出制御手段は、
前記補正排出で排出すべき残数分の遊技球数が所定の判定基準値以上であったとき、排出異常と判定する排出異常判定手段を備え、
前記排出異常判定手段により排出異常と判定されなかった場合には、残数分だけの作動をするように前記パルスモータを駆動制御する補正排出を行い、
前記排出異常判定手段により排出異常と判定された場合には、残数分の球検出がなされるまで、遊技球１個排出分の作動をするように前記パルスモータの駆動制御を繰り返す補正排出を行うようにしたことを特徴とする遊技機。
【手続補正２】
【補正対象書類名】明細書
【補正対象項目名】０００３
【補正方法】変更
【補正の内容】
【０００３】
【発明が解決しようとする課題】
しかしながら、従来の補正排出では、排出目標数の遊技球を適切に排出できないことがある。
【手続補正３】
【補正対象書類名】明細書
【補正対象項目名】０００４
【補正方法】変更
【補正の内容】
【０００４】
例えば、通常の排出速度で排出した場合に、排出機構に球がうまく保持されずに、排出機構が空回りしてしまうようなことがあり、このような場合、排出しにくくなる。
【手続補正４】
【補正対象書類名】明細書
【補正対象項目名】０００５
【補正方法】変更
【補正の内容】
【０００５】
本発明は、このような問題点を解決することを目的とする。


【手続補正５】
【補正対象書類名】明細書
【補正対象項目名】０００６
【補正方法】変更
【補正の内容】
【０００６】
【課題を解決するための手段】
第１の発明では、外周に複数の球受部を設けたスプロケットと、前記スプロケットを回動させるパルスモータと、前記スプロケットの球受部が臨む流路と、前記スプロケットから前記流路に排出された遊技球をカウントするための球検出センサと、賞球要求あるいは貸球要求に基づいて排出する目標数を設定し、前記パルスモータを駆動して前記目標数分の遊技球を排出させる制御を行う排出制御手段と、を備えた遊技機において、前記排出制御手段は、前記目標数分の遊技球を排出する場合に、前記目標数分の作動をするように前記パルスモータを駆動制御すると共に、排出用タイマを作動して、排出用タイマのタイムアップ時間が経過するまでに前記球検出センサにより検出される球検出数が前記目標数分とならなかったときには、前記目標数分と一致するように残数分の補正排出を行わせる補正排出制御手段を備え、前記補正排出制御手段は、前記補正排出で排出すべき残数分の遊技球数が所定の判定基準値以上であったとき、排出異常と判定する排出異常判定手段を備え、前記排出異常判定手段により排出異常と判定されなかった場合には、残数分だけの作動をするように前記パルスモータを駆動制御する補正排出を行い、前記排出異常判定手段により排出異常と判定された場合には、残数分の球検出がなされるまで、遊技球１個排出分の作動をするように前記パルスモータの駆動制御を繰り返す補正排出を行うようにした。


【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
【発明の作用および効果】
本発明では、通常の排出速度で排出した場合にスプロケットに球がうまく保持されずに空回りしてしまうような異常に対して、必要な数の遊技球を払い出しやすくなる。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００８４
【補正方法】変更
【補正の内容】
【００８４】
図９は、賞球排出処理（図６のフローチャートのステップＳ１１の処理）の処理手順を示すフローチャートである。


【手続補正１６】
【補正対象書類名】明細書
【補正対象項目名】０１１３
【補正方法】変更
【補正の内容】
【０１１３】
以上のように本実施の形態では、排出数差（通常排出における排出目標値と実際の排出数との差）、すなわち補正排出で排出すべき排出数が、判定基準値以上となった場合には、排出数差の異常と判定し（図１０のステップＳ５６）、排出数差エラー処理（図８のステップＳ３３）が実行される。この排出数差エラー処理では、エラー表示器８６による報知や、排出機構６００の停止処理等がなされる。したがって、排出機構６００に故障があった場合（例えば、排出機構６００のＡとＢの２系統のうち１系統が故障して、通常排出において排出機構６００の球排出用パルスモータ６２０を排出目標値分作動させたとしても必要な排出の約半分（１系統分の排出）しかなされないような場合）等に、不足分の排出が補正排出として長時間にわたって継続されたり、補正排出によっても不足分の排出が完了しなかったりするトラブル発生を、未然に防止できる。また、排出数差の監視により、排出関連に何らかの異常が生じる可能性がある場合に、この異常が致命的なものとなる前に察知することができ、適切な対応を迅速にとることができる。
【手続補正書】
【提出日】平成16年8月26日(2004.8.26)
【手続補正１】
【補正対象書類名】明細書
【補正対象項目名】全文
【補正方法】変更
【補正の内容】
【書類名】      明細書
【発明の名称】      炊飯器内釜用洗米流出防止具
【特許請求の範囲】
【請求項１】  多数の排水孔を設けた弾性基盤の適所に吸着盤を設け、この吸着盤を内釜体の内側上部に取付けて弾性基盤と内釜体の内側壁面との間に空間部を形成して成ることを特徴とする炊飯器内釜用洗米流出防止具。
【請求項２】  弾性基盤に取付く吸着盤が弾性基盤の中心線上に位置して成る請求項１に記載した炊飯器内釜用洗米流出防止具。
【請求項３】  弾性基盤が略半楕円形状に成る請求項１又は２に記載した炊飯器内釜用洗米流出防止具。
【発明の詳細な説明】
【０００１】
【発明の属する技術分野】
本発明は、洗米時に炊飯器の内釜体の内側上部に取付けて研ぎ米の流出を阻止するための洗米流出防止具に関するものである。
【０００２】
【従来の技術】
従来、炊飯器の内釜体を使用して洗米するときは、研ぎ水を捨てる際に米の動きに細心の注意を払いながらゆっくりと水を流していたが、時間と手数のかかる作業であった。
【０００３】
これを改善しようとして、炊飯器の内釜体の内側上部に取付けるものではないが、同一目的を有するものとして、例えば、実開平７−２０１３１、特開平８−３３５８１、特開平８−１５４８２１、特開平８−２３８１８７、特開平１１−２９０２２６、特開２０００−９３３３０、実登第３０５３７３８号のごときものが知られているが、これらのものは単なる思い付き程度のもので、実用性に乏しいものであった。
【０００４】
【発明が解決しようとする課題】
そこで、本発明は、炊飯器の内釜体において前記のような欠点を一掃し、米研ぎ作業のし易い洗米流出防止具を提供することを目的とするものである。
【０００５】
【課題を解決するための手段】
本発明は、多数の排水孔を設けた弾性基盤の適所に吸着盤を設け、この吸着盤を内釜体の内側上部に取付けて弾性基盤と内釜体の内側壁面との間に空間部を形成して成るものである。
【０００６】
また、本発明は、弾性基盤に取付く吸着盤が弾性基盤の中心線上に位置して成るものである。
【０００７】
【発明の実施の形態】
いま本具を内釜体の内側上部に取付けるときは、弾性基盤の中心線上に設置している吸着盤を内釜体の内側壁面に吸着するが、その時、略半楕円形状に成る弾性基盤の下側端縁部分は内釜体の内側壁面に圧着当接するから、水平形状に成る弾性基盤の上側端縁部分は内釜体の内側壁面との間に空間部を形成するようになる。
【０００８】
そこで、このような状態になる内釜体に米と水を入れて研ぐことになるが、研ぎ水を捨てるときは内釜体の底部を持ち上げれば、米は研ぎ水より比重が大きいことから、内釜体の内側壁面に沿って流出するが、弾性基盤上に達すると、水のみは弾性基盤の排水孔より内側の空間部に排出し、そのまま内釜体の周縁部より外部に排出され、米は排水孔の内側部に留保された状態で残留するようになる。
【０００９】
【実施例】
１は多数の排水孔を設けて成る弾性基盤で、この弾性基盤の全体形状は略半楕円形状に成る。
【００１０】
２は前記弾性基盤１の中心部より下側方など弾性基盤の中心線上の適当位置に取付ける吸着盤である。
【００１１】
３は内釜体ａの上側部に前記弾性基盤１を吸着盤２を介して取付けたときに内釜体の内側壁面との間に形成される空間部である。
【００１２】
【発明の効果】
本具を取付けた炊飯器を使用して米研ぎを行うときは、研ぎ終わった米は確実に内釜体内に残留し、研ぎ水のみを確実に排出することができ、しかも迅速に米の水研ぎ作業を終了することができる。
【００１３】
また、基盤は弾力性を有するものであるから、内釜体の内径寸法に順応して確実に取付けることができる。
【図面の簡単な説明】
【図１】  本発明具の斜視図
【図２】  本発明具の取付け時の斜視図
【図３】  本発明具の取付け時の平面図
【符号の説明】
１                    弾性基盤
２                    吸着盤
３ 空間部
【手続補正２】
【補正対象書類名】図面
【補正対象項目名】全図
【補正方法】変更
【補正の内容】
【図１】
2001190403.tif 000001
【図２】
2001190403.tif 000002
【図３】
2001190403.tif 000003
【手続補正書】
【提出日】平成16年4月8日(2004.4.8)
【手続補正１】
【補正対象書類名】明細書
【補正対象項目名】０００３
【補正方法】変更
【補正の内容】
【０００３】
このうち、ＲＣセグメントは、セグメント形状に合わせて製作された鉄筋籠を型枠内に配し、この型枠内にコンクリートを打設して製造されるものであり、コンクリート中に補強部材たる鉄筋籠が埋め込まれた構造を有する。このＲＣセグメントの長所としては耐久性および耐圧縮性に優れる点が挙げられる。


【手続補正２】
【補正対象書類名】明細書
【補正対象項目名】００２９
【補正方法】変更
【補正の内容】
【００２９】
（４）他方、以上に述べた具体例において、地山側鋼板の地山側面および／またはセグメント内空側鋼板のセグメント内空側面に対するコンクリートの定着性を良好ならしめるために、これらの側にエキスパンドメタル、金網、棒状部材、棒状部材を網状に連結したもの、および／または棒状部材を籠状に連結したもの等を、溶接等により取り付けることも提案される。もちろん鋼板の両面側にこれらエキスパンドメタル等を取り付けることもできる。図１８にセグメント内空側の鋼板３Ｂのセグメント内空側面にエキスパンドメタル１００，１００…を取り付けた例を、図１９にセグメント内空側の鋼板３Ｂのセグメント内空側面に棒状部材１０１，１０１…を格子状に取り付けた例を示した。これらエキスパンドメタル１００等によって、地山側鋼板３Ａの地山側面またはセグメント内空側鋼板３Ｂのセグメント内空側面におけるコンクリートかぶり部において、コンクリートの収縮等による剥がれが抑制される。この他にも、地山側鋼板またはセグメント内空側鋼板の片面あるいは両面に従来公知のジベル部材を取り付けることもできる。
また、地山側鋼板またはセグメント内空側鋼板として、片面または両面に凹凸模様を有する縞鋼板を用いることができ、この場合にも鋼板に対するコンクリートの付着性が向上する。凹凸模様が鋼板の片面に付された通常の縞鋼板を用いる場合には、その模様面が地山側鋼板にあってはその地山側面となるようにし、セグメント内空側鋼板にあってはそのセグメント内空側面となるようにするのが好ましい。


【手続補正３】
【補正対象書類名】明細書
【補正対象項目名】図５
【補正方法】変更
【補正の内容】
【図５】図２のVI部の拡大図である。


【手続補正４】
【補正対象書類名】明細書
【補正対象項目名】図６
【補正方法】変更
【補正の内容】
【図６】図２のVII 部の拡大図である。


【手続補正５】
【補正対象書類名】図面
【補正対象項目名】図１４
【補正方法】変更
【補正の内容】
【図１４】
1998280889.tif 000001
【手続補正６】
【補正対象書類名】図面
【補正対象項目名】図１５
【補正方法】変更
【補正の内容】
【図１５】
1998280889.tif 000002
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
基礎に対し固定された少なくとも１つの第１の転動レールと、
構造物に対し固定され前記第１の転動レールとは異なる方向に延在する少なくとも１つの第２の転動レールと、
前記第１および第２の転動レールに摺動可能に連結した転動部材とからなり、
前記転動部材は、前記第１の転動レールに摺動可能に連結した第１のブロック体と、前記第２の転動レールに摺動可能に連結した第２のブロック体と、前記第１および第２のブロック体間に介装された絶縁手段としての緩衝体とからなる絶縁支持装置。
【請求項２】
前記第１のブロック体と前記第１の転動レールは転動子を介して連結されるとともに、前記前記第２のブロック体と前記第２の転動レールは転動子を介して連結される請求項１記載の絶縁支持装置。
【請求項３】
前記緩衝体は、弾塑性材料の成形体または封入物の単層または積層物を複数の硬質部材間に固着したパッドとして構成される請求項１記載の絶縁支持装置。
【請求項４】
前記緩衝体は矩形パッド又はリンク状パッドとして構成され、前記硬質部材の各々には複数の固定具挿通孔を穿設する請求項３記載の絶縁支持装置。
【請求項５】
前記緩衝体は平面回転体からなる請求項１記載の絶縁支持装置。
【請求項６】
前記平面回転体は、外輪と、この外輪に囲繞されかつこれを転動子を介して回転自在に支持する内輪とからなる請求項５記載の絶縁支持装置。
【請求項７】
前記平面回転体は、環状溝を備えた外輪と前記環状溝に転動子を介して嵌合される内輪とからなる請求項５記載の絶縁支持装置。
【請求項８】
前記緩衝体は、外輪とこの外輪に囲繞されかつこれを転動子を介して回転自在に支持する内輪とからなる平面回転体と、
前記平面回転体の第１および第２の平面の少なくとも一方に取付けられたパッド構造体とからなり、前記パッド構造体は弾塑性材料の成形体又は封入物の単層又は積層物を複数の硬質の部材間に固着した構成を有する請求項１記載の絶縁支持装置。
【請求項９】
前記パッド構造体は、矩形パッド又はリンク状パッドとして構成され、前記硬質部材の各々には複数の固定具挿通孔を穿設する請求項８記載の絶縁支持装置。
【請求項１０】
請求項１乃至８いずれか一つに記載の絶縁支持装置を有する免震構造物。
【請求項１１】
前記免震構造物は前記絶縁支持装置に加え、減衰装置並びに復元装置を有する請求項１０記載の免震装置。
【手続補正２】
【補正対象書類名】明細書
【補正対象項目名】００１０
【補正方法】変更
【補正の内容】
【００１０】
【課題を解決するための手段】
先の目的を達成するために、本発明に係る絶縁支持装置は、基礎に対し固定された少なくとも１つの第１の転動レールと、
構造物に対し固定され前記第１の転動レールとは異なる方向に延在する少なくとも１つの第２の転動レールと、
前記第１および第２の転動レールに摺動可能に連結した転動部材とからなり、
前記転動部材は、前記第１の転動レールに摺動可能に連結した第１のブロック体と、前記第２の転動レールに摺動可能に連結した第２のブロック体と、前記第１および第２のブロック体間に介装された絶縁手段としての緩衝体とからなることを特徴とする。


【手続補正３】
【補正対象書類名】明細書
【補正対象項目名】００１１
【補正方法】変更
【補正の内容】
【００１１】
この場合、前記第１のブロック体と前記第１の転動レールは転動子を介して連結されるとともに、前記前記第２のブロック体と前記第２の転動レールは転動子を介して連結されるよう構成することができる。


【手続補正４】
【補正対象書類名】明細書
【補正対象項目名】００１２
【補正方法】変更
【補正の内容】
【００１２】
また、緩衝体は、弾塑性材料の成形体または封入物の単層または積層物を複数の硬質部材間に固着したパッドとして構成され、そしてこの緩衝体は矩形パッド又はリンク状パッドとして構成され、前記硬質部材の各々には複数の固定具挿通孔を穿設する。この緩衝体は、緩衝体は平面回転体からなる。


【手続補正５】
【補正対象書類名】明細書
【補正対象項目名】００１３
【補正方法】変更
【補正の内容】
【００１３】
平面回転体は、外輪と、この外輪に囲繞されかつこれを転動子を介して回転自在に支持する内輪とからなり、平面回転体は、環状溝を備えた外輪と前記環状溝に転動子を介して嵌合される内輪とからなり、緩衝体は、外輪とこの外輪に囲繞されかつこれを転動子を介して回転自在に支持する内輪とからなる平面回転体と、
前記平面回転体の第１および第２の平面の少なくとも一方に取付けられたパッド構造体とからなり、前記パッド構造体は弾塑性材料の成形体又は封入物の単層又は積層物を複数の硬質の部材間に固着した構成を有する。
【手続補正６】
【補正対象書類名】明細書
【補正対象項目名】００１４
【補正方法】変更
【補正の内容】
【００１４】
また、パッド構造体は、矩形パッド又はリンク状パッドとして構成され、前記硬質部材の各々には複数の固定具挿通孔を穿設し、さらに前記絶縁支持装置を有する免震構造物を構成することもできる。


【手続補正７】
【補正対象書類名】明細書
【補正対象項目名】００１５
【補正方法】変更
【補正の内容】
【００１５】
また、さらに免震構造物は前記絶縁支持装置に加え、減衰装置並びに復元装置を有する。
【手続補正書】
【提出日】平成16年4月2日(2004.4.2)
【手続補正１】
【補正対象書類名】明細書
【補正対象項目名】請求項１
【補正方法】変更
【補正の内容】
【請求項１】
互いに隣接する橋桁の端末空間部に、長手方向に中空部を形成し、かつ外周面または内周面に補強材を巻付けたゴム状弾性体から成る緩衝・引張部材を介設し、前記橋桁の端末部と緩衝・引張部材とを連結金具により連結して成る橋梁における落橋防止装置。
【手続補正２】
【補正対象書類名】明細書
【補正対象項目名】０００５
【補正方法】変更
【補正の内容】
【０００５】
【課題を解決するための手段】
この発明は上記目的を達成するため、互いに隣接する橋桁の端末空間部に、長手方向に中空部を形成し、かつ外周面または内周面に補強材を巻付けたゴム状弾性体から成る緩衝・引張部材を介設し、前記橋桁の端末部と緩衝・引張部材とを連結金具により連結したことを要旨とするものである。


【手続補正３】
【補正対象書類名】明細書
【補正対象項目名】００１４
【補正方法】変更
【補正の内容】
【００１４】
【発明の効果】
この発明は、上記のように互いに隣接する橋桁の端末空間部に、長手方向に中空部を形成し、かつ外周面または内周面に補強材を巻付けたゴム状弾性体から成る緩衝・引張部材を介設し、前記橋桁の端末部と緩衝・引張部材とを連結金具により連結したので、地震時に相対向する橋桁同志に引張力や、互いに接近する圧縮力が作用した場合にも、橋桁の端末部を損傷させることなくその引張力や圧縮力を抑制緩和し、橋桁が橋台から落下するのを有効に防止する事が出来る効果がある。
【手続補正書】
【提出日】平成16年4月2日(2004.4.2)
【手続補正１】
【補正対象書類名】明細書
【補正対象項目名】請求項１
【補正方法】変更
【補正の内容】
【請求項１】
互いに隣接する橋桁の端末部間、または橋台と橋桁との間に、ゴム状弾性材料の内部に金属材料を一体的に埋設し、圧縮特性及び剪断特性を利用できる落橋防止部材を配設したことを特徴とする橋梁における落橋防止装置。
【手続補正２】
【補正対象書類名】明細書
【補正対象項目名】０００６
【補正方法】変更
【補正の内容】
【０００６】
【課題を解決するための手段】
この発明は上記目的を達成するため、互いに隣接する橋桁の端末部間、または橋台と橋桁との間に、ゴム状弾性材料の内部に金属材料を一体的に埋設し、圧縮特性及び剪断特性を利用できる落橋防止部材を配設したことを要旨とするものである。


【手続補正３】
【補正対象書類名】明細書
【補正対象項目名】００１５
【補正方法】変更
【補正の内容】
【００１５】
【発明の効果】
この発明は、上記のように互いに隣接する橋桁の端末部間、または橋台と橋桁との間に、ゴム状弾性材料の内部に金属材料を一体的に埋設し、圧縮特性及び剪断特性を利用できる落橋防止部材を配設したので、地震時に橋台と橋桁、または橋桁同志に圧縮作用が作用した場合、ゴム状弾性材料の緩衝機能及び減衰機能とゴム状弾性材料に埋設した金属材料とにより衝撃を吸収し、橋台と橋桁、または橋桁同志の衝突を防止し、橋桁の損傷や落下を有効に防止することが出来る効果がある。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
内部に少なくとも１つの中空部（７）を有する、中空射出成形法により製造された合成樹脂製溝蓋であって、複数の支持部（２）と、該支持部と一体化した踏み板部（３）により構成されることを特徴とする合成樹脂製溝蓋。
【請求項２】
請求項１に記載の合成樹脂製溝蓋が、ポリアセタール樹脂製またはポリアミド樹脂製の溝蓋であることを特徴とする合成樹脂製溝蓋。
【請求項３】
請求項１または２に記載の合成樹脂製溝蓋であって、溝の開口部の幅方向に跨ぐ複数の支持部（２）と、溝の開口部の長さ方向に設けられ、かつ該支持部と一体化した複数の踏み板部（３）により構成されることを特徴とする合成樹脂製溝蓋。
【請求項４】
合成樹脂製溝蓋に中空部を形成するために合成樹脂中に注入される加圧流体の注入部を金型キャビティ内に設け、かつ該加圧流体を該合成樹脂製溝蓋の支持部から合成樹脂中に注入する中空射出成形法により製造することを特徴とする請求項１〜３のいずれか１項に記載の合成樹脂製溝蓋の製造方法。
【請求項５】
合成樹脂製溝蓋に中空部を形成するための加圧流体を合成樹脂中に注入開始後、該加圧流体により金型キャビティ内に充填された合成樹脂の一部を補助キャビティ内へ押しだしつつ中空部を形成することを特徴とする請求項４に記載の合成樹脂製溝蓋の製造方法。
【請求項６】
合成樹脂製溝蓋に中空部を形成するために合成樹脂中に注入された加圧流体の圧力を開放後、金型を開くまでの間に、ゲートから合成樹脂を再び充填することを特徴とする請求項４または５に記載の合成樹脂製溝蓋の製造方法。
【請求項７】
金型キャビティ内へ合成樹脂を充填中あるいは充填完了２０秒後までの間に、該溝蓋に中空部を形成するための加圧流体を合成樹脂中に注入開始し、該加圧流体の注入終了後、更に該加圧流体の圧力を５〜６００秒間保持し、該保持時間の完了後、加圧流体の圧力を解放することを特徴とする請求項４〜６のいずれか１項に記載の合成樹脂製溝蓋の製造方法。
【手続補正２】
【補正対象書類名】明細書
【補正対象項目名】０００４
【補正方法】変更
【補正の内容】
【０００４】
【課題を解決するための手段】
本発明者は、内部に中空部を有し、複数の支持部と、該支持部と一体化した複数の踏み板部により構成される合成樹脂製の溝蓋が、上記課題を解決することを見いだし、本発明を完成した。
すなわち、本発明は、
１．    内部に少なくとも１つの中空部（７）を有する、中空射出成形法により製造された合成樹脂製溝蓋であって、複数の支持部（２）と、該支持部と一体化した踏み板部（３）により構成されることを特徴とする合成樹脂製溝蓋、
２．    上記１の合成樹脂製溝蓋が、ポリアセタール樹脂製またはポリアミド樹脂製の溝蓋であることを特徴とする合成樹脂製溝蓋、
３．    上記１または２の合成樹脂製溝蓋であって、溝の開口部の幅方向に跨ぐ複数の支持部（２）と、溝の開口部の長さ方向に設けられ、かつ該支持部と一体化した複数の踏み板部（３）により構成されることを特徴とする合成樹脂製溝蓋、
４．    合成樹脂製溝蓋に中空部を形成するために合成樹脂中に注入される加圧流体の注入部を金型キャビティ内に設け、かつ該加圧流体を該合成樹脂製溝蓋の支持部から合成樹脂中に注入する中空射出成形法により製造することを特徴とする上記１〜３のいずれかの合成樹脂製溝蓋の製造方法、
５．    合成樹脂製溝蓋に中空部を形成するための加圧流体を合成樹脂中に注入開始後、該加圧流体により金型キャビティ内に充填された合成樹脂の一部を補助キャビティ内へ押しだしつつ中空部を形成することを特徴とする上記４の合成樹脂製溝蓋の製造方法、
６．    合成樹脂製溝蓋に中空部を形成するために合成樹脂中に注入された加圧流体の圧力を開放後、金型を開くまでの間に、ゲートから合成樹脂を再び充填することを特徴とする上記４または５の合成樹脂製溝蓋の製造方法、
７．    金型キャビティ内へ合成樹脂を充填中あるいは充填完了２０秒後までの間に、該溝蓋に中空部を形成するための加圧流体を合成樹脂中に注入開始し、該加圧流体の注入終了後、更に該加圧流体の圧力を５〜６００秒間保持し、該保持時間の完了後、加圧流体の圧力を解放することを特徴とする上記４〜６のいずれかの合成樹脂製溝蓋の製造方法、
である。
【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
円筒状部材の開口内面に接地電位と接続する補助電極を挿入するように円筒状部材を真空槽内に配置し、
排気口から真空槽内を排気した後、ガス導入口から炭素を含むガスを真空槽内に導入し、
リアクトルを介して円筒状部材に直流電圧を印加しアノードに直流電圧を印加しフィラメントに交流電圧を印加してプラズマを発生させて円筒状部材に硬質カーボン膜を形成することを特徴とする円筒状部材内周面への硬質カーボン膜の形成方法。
【請求項２】
円筒状部材の開口内面に直流電源と接続する補助電極を挿入するように円筒状部材を真空槽内に配置し、
排気口から真空槽内を排気した後、ガス導入口から炭素を含むガスを真空槽内に導入し、
補助電極に直流正電圧を印加し、リアクトルを介して円筒状部材に直流電圧を印加しアノードに直流電圧を印加しフィラメントに交流電圧を印加してプラズマを発生させて円筒状部材に硬質カーボン膜を形成することを特徴とする円筒状部材内周面への硬質カーボン膜の形成方法。
【請求項３】
前記円筒状部材が端面部にダミー部材を配置していることを特徴とする請求項１または請求項２に記載の円筒状部材内周面への硬質カーボン膜の形成方法。
【請求項４】
前記円筒状部材が中間層を形成していることを特徴とする請求項１、請求項２または請求項３に記載の円筒状部材内周面への硬質カーボン膜の形成方法。
【請求項５】
前記リアクトルを介して円筒状部材に直流電圧を印加しアノードに直流電圧を印加しフィラメントに交流電圧を印加してプラズマを発生させるのにかえて、
リアクトルを介して円筒状部材に直流電圧を印加して、プラズマを発生させて円筒状部材に硬質カーボン膜を形成することを特徴とする請求項１から請求項４のいずれか一項に記載の円筒状部材内周面への硬質カーボン膜の形成方法。
【手続補正書】
【提出日】平成17年4月13日(2005.4.13)
【手続補正１】
【補正対象書類名】明細書
【補正対象項目名】００５２
【補正方法】変更
【補正の内容】
【００５２】
以上、本発明の好適な実施例についてそれぞれ説明したが、本発明は前記実施例に限定されることなく、例えば多孔性硬質基板の形状を単に矩形状の平板とするだけでなく、台形や多角形等としてそれぞれ角部を湾曲形成したり、その他円形、楕円形、ハート形等も可能であり、特に頭部と肩部との関係から肩部に邪魔にならないように部分的に湾曲状の切欠きを設けたり、あるいはパッドの収納面積に比べて縮小した面積となるように基板寸法を設定したり、平板面を緩やかな傾斜面ないし湾曲面とする等も可能である。さらには、前述した実施例において、図８に示す多機能携帯枕のパッド・基板収納体において、基板収納部に対し、図６または図７に示すパッド・基板収納体を、それぞれパッド収納部の収納方向（長手方向または短手方向）が重ならないように、パッドを多重にした状態にして多孔性硬質基板を収納して使用することもできる。その他、本発明の精神を逸脱しない範囲内において、多くの設計変更を行うことができる。